(57)【要約】【課題】  生鮮魚等を保冷輸送する容器本体、蓋部材等を紙製にして輸送使用後での廃棄、焼却を容易にし、また保冷状態の維持、氷等の溶解水の外部浸出、漏出を防止する。【解決手段】  断熱性ある上部開口の紙製の容器本体１と、容器本体１を閉塞して容器本体１に被せる紙製の蓋部材４０と、蓋部材４０を容器本体１に係合固定するロック手段５０とを備える。容器本体１は、中空状の左右側壁２、前後側壁３を有する外函部材１０に対し、上部開口の周囲に間隙、孔等が形成されていない内函部材３０を嵌め入れて構成する。ロック手段５０は、蓋部材４０における前後蓋側板４３の蓋側挿入ロック片５１を、容器本体１における外函部材１０の外部前後外側板１７に蓋側挿入ロック片５１位置に対応して設けたロック部５３の孔縁に係合させるように内方に折り込むことで形成する。【選択図】      図１
2005035595.tif 000002
【特許請求の範囲】
【請求項１】
断熱性ある中空状の左右側壁、前後側壁を備えた上部開口の紙製の容器本体と、この容器本体の開口を閉塞して容器本体に被せられる紙製の蓋部材と、容器本体に被せた蓋部材を容器本体に係合固定するロック手段とを備えたことを特徴とする保冷容器。
【請求項２】
容器本体は、上部開口の中空状の左右側壁、前後側壁を有する外函部材に対し、同様に上部開口の周囲に間隙、孔等が形成されていない内函部材を嵌め入れることで構成した請求項１に記載の保冷容器。
【請求項３】
外函部材は、外部底板の左右に外部左右外側板を折り起こし状に連設し、この外部左右外側板上縁に連設した左右縁板を介して外部左右外側板の内方に沿って折り伏される外部左右内側板を連設すると共に、外部左右内側板の前後縁に左右で相互に係合する前後部左右係合板を付設し、一方、外部底板の前後に外部前後外側板を折り起こし状に連設し、この外部前後外側板上縁に連設した前後縁板を介して外部前後外側板の内方に沿って折り伏される外部前後内側板を連設すると共に、外部前後外側板の左右縁と外部左右内側板の前後縁との間で、外部前後外側板、外部前後内側板相互間あるいは外部左右外側板、外部左右内側板相互間の空隙内に折り込まれる前後左右折込板を夫々折り込み自在に連繋して成る請求項１または２のいずれかに記載の保冷容器。
【請求項４】
外函部材において、外部左右内側板の下端縁に外部底板の左右部内底面に当接するよう折り伏し状に連設した左右当接折伏片の前後縁と、外部前後内側板の下端縁に外部底板の前後部内側面に当接するよう折り伏し状に連設した前後当接折伏片の左右縁とを相互に係合するものとしてある請求項１乃至３のいずれかに記載の保冷容器。
【請求項５】
内函部材は、外函部材の外部底板の内底面に当接する内部底板の左右に、同じく外函部材の外部左右内側板内側面に夫々当接する内部左右側板を折り起こし状に連設し、この内部左右側板上縁に外函部材における左右縁板の上面に当接する左右水漏れ防止片を折り伏し状に連設し、一方、内部底板の前後に、外函部材の外部前後内側板の内側面に夫々対峙する内部前後側板を折り起こし状に連設し、この内部前後側板上縁に外函部材における前後縁板の上面に当接する前後水漏れ防止片を折り伏し状に連設すると共に、内部左右側板の前後縁と内部前後側板の左右縁との間で、内部前後側板の外側で折り込まれる前後左右折込板を夫々折り込み自在に連繋して成る請求項３または４のいずれかに記載の保冷容器。
【請求項６】
蓋部材は、中央に配した上側蓋板の左右縁夫々に左右蓋側板を連設する一方、同じく上側蓋板の前後縁夫々に前後蓋側板を連設すると共に、前後蓋側板の左右縁夫々に連設した接続片を、左右蓋側板の前後端部にこの左右蓋側板自体を上側蓋板の内側面に当接するように折り込ませる斜めの折込線によって区画されたほぼ三角形状の連結部に接着するようにして成る請求項１乃至５のいずれかに記載の保冷容器。
【請求項７】
ロック手段は、蓋部材における前後蓋側板の底部側に蓋部材自体の内方に折り込み状に折曲される蓋側挿入ロック片を、容器本体における外函部材の外部前後外側板に蓋側挿入ロック片位置に対応してこの蓋側挿入ロック片を挿入係止させるロック部を設けて成る請求項１乃至６のいずれか記載の保冷容器。
【発明の詳細な説明】
【技術分野】
【０００１】
本発明は、例えば鰹等の生鮮魚介類を保冷状態の儘で輸送するに際し、その包装密封作業の簡素化、良好な体裁性、使用済み包装資材である容器自体の簡便な廃棄処理等が可能となる保冷容器に関する。
【背景技術】
【０００２】
従来から、例えば鰹等の生鮮魚介類を保冷状態の儘で遠方に輸送するには発泡合成樹脂材製の容器本体、蓋体によって構成された保冷容器を使用し、保冷容器内に氷等の保冷材と共に収納した後に接着テープ等によって封緘することで密封性を保持するものとしている。ただこうした発泡合成樹脂材製の保冷容器を使用した場合の密封作業は極めて面倒であるために、本出願人は特許文献１にある保冷容器及びこれを使用した保冷包装方法を提案し、梱包作業の簡素化、輸送先での包装資材の廃棄処分の容易性等が図れるようにしたものである。
【０００３】
この特許文献１による保冷容器の構造は、発泡合成樹脂材製の容器本体に対し、折り畳み可能な紙製の蓋部材を施蓋するものとし、蓋部材を容器本体に施蓋するに際し、蓋部材の側板に突設形成したストッパー片を容器本体の側壁の底部分に形成した係合凹所に係合するストッパー手段によって容器本体に蓋部材を固定するようにしたものである。
【特許文献１】特許第２６５２３６２号公報
【発明の開示】
【発明が解決しようとする課題】
【０００４】
この従来の本出願人提案の保冷容器によると、梱包作業の簡素化は十分に図り得ても、輸送先での廃棄に際し、容器本体自体は発泡合成樹脂材製であるためにその焼却は有害ガス等の発生が予想されるために実質的に困難であり、再利用するにもその生産地への輸送は嵩張るばかりで費用的に割高になる等、極めて面倒なものである。すなわち蓋部材自体は紙製である故にその廃棄、再利用等は比較的に容易であっても、容器本体自体は簡単には廃棄処分ができないものであった。
【０００５】
そこで本発明は叙上のような従来存した諸事情に鑑み創出されたもので、従来の容器本体自体もその蓋部材と共に紙製のものとし、しかも紙製とするも収納する例えば鰹等の生鮮魚介類も十分に保冷でき、少なくとも輸送に要する時間内では同時に収納する保冷材である氷が溶解した場合でもその溶解水が外部に浸出したり、漏水したりすることもないと共に、輸送先までその鮮度を十分に維持できるようにし、輸送先での廃棄処分に際しても極めて簡単に通常の紙資材の廃棄と同様に行うことができ、場合によっては再利用も可能であるものとして資源の有効利用を図り得る保冷容器を提供することを目的とする。
【課題を解決するための手段】
【０００６】
上述した課題を解決するため、本発明にあっては、断熱性ある中空状の左右側壁２、前後側壁３を備えた上部開口の紙製の容器本体１と、この容器本体１の開口を閉塞して容器本体１に被せられる紙製の蓋部材４０と、容器本体１に被せた蓋部材４０を容器本体１に係合固定するロック手段５０とを備えたものである。
容器本体１は、上部開口の中空状の左右側壁２、前後側壁３を有する外函部材１０に対し、同様に上部開口の周囲に間隙、孔等が形成されていない内函部材３０を嵌め入れることで構成することができる。
外函部材１０は、外部底板１１の左右に外部左右外側板１２を折り起こし状に連設し、この外部左右外側板１２上縁に連設した左右縁板１３を介して外部左右外側板１２の内方に沿って折り伏される外部左右内側板１４を連設すると共に、外部左右内側板１４の前後縁に左右で相互に係合する前後部左右係合板１５，１６を付設し、一方、外部底板１１の前後に外部前後外側板１７を折り起こし状に連設し、この外部前後外側板１７上縁に連設した前後縁板１８を介して外部前後外側板１７の内方に沿って折り伏される外部前後内側板１９を連設すると共に、外部前後外側板１７の左右縁と外部左右内側板１４の前後縁との間で、外部前後外側板１７、外部前後内側板１９相互間あるいは外部左右外側板１２、外部左右内側板１４相互間の空隙内に折り込まれる前後左右折込板２１を夫々折り込み自在に連繋して成るものとできる。
またこの外函部材１０において、外部左右内側板１４の下端縁に外部底板１１の左右部内底面に当接するよう折り伏し状に連設した左右当接折伏片２２の前後縁と、外部前後内側板１９の下端縁に外部底板１１の前後部内側面に当接するよう折り伏し状に連設した前後当接折伏片２３の左右縁とを相互に係合するものとして構成できる。
内函部材３０は、外函部材１０の外部底板１１の内底面に当接する内部底板３１の左右に、同じく外函部材１０の外部左右内側板１４内側面に夫々当接する内部左右側板３２を折り起こし状に連設し、この内部左右側板３２上縁に外函部材１０における左右縁板１３の上面に当接する左右水漏れ防止片３３を折り伏し状に連設し、一方、内部底板１１の前後に、外函部材１０の外部前後内側板１９の内側面に夫々対峙する内部前後側板３４を折り起こし状に連設し、この内部前後側板３４上縁に外函部材１０における前後縁板１８の上面に当接する前後水漏れ防止片３５を折り伏し状に連設すると共に、内部左右側板３２の前後縁と内部前後側板３４の左右縁との間で、内部前後側板３４の外側で折り込まれる前後左右折込板３６を夫々折り込み自在に連繋して成るものとできる。
蓋部材４０は、中央に配した上側蓋板４１の左右縁夫々に左右蓋側板４２を連設する一方、同じく上側蓋板４１の前後縁夫々に前後蓋側板４３を連設すると共に、前後蓋側板４２の左右縁夫々に連設した接続片４４を、左右蓋側板４２の前後端部にこの左右蓋側板４２自体を上側蓋板４１の内側面に当接するように折り込ませる斜めの折込線によって区画されたほぼ三角形状の連結部４５に接着するようにして構成することができる。
ロック手段５０は、蓋部材４０における前後蓋側板４３の底部側に蓋部材４０自体の内方に折り込み状に折曲される蓋側挿入ロック片５１を、容器本体１における外函部材１０の外部前後外側板１７に蓋側挿入ロック片５１位置に対応して内方に折り込まれる本体側折曲ロック片５２の折り込み孔縁に係合させるようにして成るものである。
【０００７】
以上のように構成された本発明に係る保冷容器にあって、容器本体１内に収納された被保冷物Ｐは、中空状に形成された左右側壁２、前後側壁３によって囲繞されることで外部から遮断された容器本体１内を同時に収納された保冷材によって冷却させ、例えば生鮮魚介類である被保冷物Ｐを冷却状態に保持し、その鮮度を維持させる。
容器本体１の外函部材１０は、内外方向で対峙した外部左右外側板１２、外部左右内側板１４によって外部底板１１の左右を中空状にして外部と遮断し、同じく内外方向で対峙した外部前後外側板１７、外部前後内側板１９によって外部底板１１の前後を中空状にして外部と遮断させる。また外部底板１１内側面の前後縁部、左右縁部に配した左右当接折伏片２２、左右係合片２４相互が外部底板１１の四隅で係合していることで、しかも左右側壁２上部の左右縁板１３が外部左右外側板１２、外部左右内側板１４相互間を、前後側壁３上部の前後縁板１８が外部前後外側板１７、外部前後内側板１９相互間を対峙状に保持させていることと相俟って外部左右内側板１４、外部前後内側板１９夫々が堅牢化し、左右側壁２、前後側壁３夫々の中空状態を維持させる。
外函部材１０内部に嵌め入れた内函部材３０は、中空状とすべく内外で対峙する外部左右外側板１２、外部左右内側板１４相互、外部前後外側板１７、外部前後内側板１９相互の縁部等で生じている空隙を内部から閉塞し、連続した継ぎ目がない１枚板で折り込み窄み状で形成した内函部材３０が、内部で溶解された保冷材等の溶解水の外部への浸出、漏出を阻止させる。
ロック手段５０は、容器本体１の上部開口を閉塞する蓋部材４０を、容器本体１に被せて蓋側挿入ロック片５１をロック部５３に係合させることで、容器本体１にロックさせ、例えば輸送中に蓋部材４０を容器本体１から離脱させない。蓋側挿入ロック片５１は容器本体１の内方側へ折り込ませることでロック部５３内方に押し込まれ、この押し込みは例えば容器本体１に対する蓋部材４０の施蓋作業で作業者の手指が蓋部材４０を持ち来して蓋側挿入ロック片５１をロック部５３位置にあるときで簡単に行わせる。
【発明の効果】
【０００８】
本発明は以上のように構成されているために、容器本体１自体、その蓋部材４０共に紙製のものとすることで、輸送先での使用後の廃棄処分に際しても極めて簡単に通常の紙資材の廃棄と同様に行うことができ、従来に比し大幅に廃棄費用を節減し、生活環境に対する悪影響を少なくでき、場合によっては再利用も可能であるものとして資源の有効利用を図り得るのである。しかも紙製とするも収納する例えば鰹等の生鮮魚介類その他の被保冷物Ｐも十分に保冷維持でき、少なくとも輸送に要する時間内では同時に収納する保冷材である氷が溶解した場合でもその溶解水を外部に浸出させたり、漏水させたりすることもないと共に、輸送先までその鮮度を十分に維持できるのである。
【０００９】
すなわちこれは本発明において、断熱性ある上部開口の紙製の容器本体１と、容器本体１を閉塞して容器本体１に被せる紙製の蓋部材４０と、蓋部材４０を容器本体１に係合固定するロック手段５０とを備えるものとしたからであり、これによって、輸送使用後での廃棄、焼却の容易性、再利用性、中空壁体構造による保冷性、１枚板構成の内函部材３０による漏出・浸出の防止、梱包作業の簡便性等が得られるものである。
【００１０】
また容器本体１は、外函部材１０に対し内函部材３０を嵌め入れることで構成してあるから、外函部材１０における中空状の二重壁構造の保冷空間となる左右側壁２、前後側壁３によって内外の空気流通をほぼ遮断して容器本体１内部空間の保冷状態を長期に渡って維持できるのである。しかも内函部材３０は１枚板を周囲から角窄まり状とすることで形成されるから、上部開口の周囲に間隙、孔等が形成されていないものとなり、これの内部に収納した例えば鰹等の生鮮魚介類を保冷する氷等の保冷材が収納されていることで、次第に溶解して溶解水が生じても、これを外部に漏出させたり、浸出させたりすることがなく、容器本体１自体を美麗に保つのである。
【００１１】
特に、外函部材１０においてその左右側壁２は、内外で相対峙される外部左右外側板１２、外部左右内側板１４によって左右縁板１３の間隙幅員で空隙が形成されており、また同じく前後側壁３は、内外で相対峙される外部前後外側板１７、外部前後内側板１９によって前後縁板１８の間隙幅員で空隙が形成されており、この空隙が内外を遮断する保冷空間を形成するのである。しかもこの二重壁状の保冷空間は、外部底板１１の四隅で係合する左右当接折伏片２２、前後当接折伏片２３相互によって外部左右内側板１４、外部前後内側板１９夫々が外部左右外側板１２、外部前後外側板１７に対して対峙状に維持されていることで空隙が長期に渡って補強保持されるのである。
【００１２】
しかも前後左右折込板２１を外部前後外側板１７、外部前後内側板１９相互間にあるいは外部左右外側板１２、外部左右内側板１４相互間に折り込み状に挟み込ませるから、空隙を一層有効に保持でき、外函部材１０においての内外の遮断を確実にするのである。
【００１３】
外函部材１０内部に嵌め入れられる内函部材３０は、内部底板３１の左右で内部左右側板３２、前後で内部前後側板３４夫々を折り起こし、これらの側板３２，３４夫々は前後左右折込板３６によって連設されていることで角窄まり状の構成となり、内函部材３０自体には内外を挿通させる孔、空隙等は全く存しないから、収納させる被保冷物Ｐ、保冷材に起因する溶解水等が外部に浸出、漏出することがなく、容器本体１は清潔な状態で維持されるのである。
【００１４】
しかもこの内函部材３０における左右水漏れ防止片３３、前後水漏れ防止片３５が外函部材１０の左右縁板１３、前後縁板１８に載置され、また蓋部材４０によって施蓋されることで蓋部材４０と容器本体１との間の密封性を維持し、保冷状態を一層有効に保持させるのである。
【００１５】
ロック手段５０は、蓋部材４０における前後蓋側板４３の蓋側挿入ロック片５１を、容器本体１における外函部材１０の外部前後外側板１７に蓋側挿入ロック片５１位置に対応して設けたロック部５３に係合させるように内方に折り込むことで形成してあるから、容器本体１に対して施蓋作業を行うとき、容器本体１に蓋部材４０を被せると同時に蓋側挿入ロック片５１をロック部５３位置に対応して合わせることで、蓋側挿入ロック片５１による内方への折り込みでロック部５３に折り入れ係合させることができ、容器本体１に蓋部材４０をしっかりと係合固定できるのである。しかもこの係合固定は、ロックのために他の特別な補助部材を必要としないから、輸送後の蓋部材４０の取り外しも容易であり、しかも廃棄品を少なくする意味でもその処分を一層容易にするのである。
【００１６】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１７】
以下図面を参照して本発明を実施するための最良の形態を説明すると、図において示される符号１は例えば鰹等の生鮮魚介類その他の被保冷物Ｐを収納保冷する容器本体であり、中空状の周囲側壁（２，３）によって周囲が囲繞され、上部を開口した箱体となるように耐水性ある適宜肉厚の段ボール紙の折り込み組立によって形成されている。またこの容器本体１には、被保冷物Ｐの収納後で、同様な耐水性ある適宜肉厚の段ボール紙、例えばその肉厚は０．５ｍｍ〜１ｍｍ程度の段ボール紙の折り込み組立によって形成されている蓋部材４０が施蓋され、その施蓋操作と同時に蓋部材４０が容器本体１にロック手段５０を介してしっかりとロックされるようにしてある。尚、形成素材である段ボール紙における耐水処理は、製紙段階において実施されているもので、その製紙終了後の例えば合成樹脂皮膜等の被装処理によらずに行われるもので、段ボール紙自体のそのままの再利用を可能にし、また焼却するとしても有害ガス等が発生しないものとなっている。もとより、容器本体１、蓋部材４０夫々の形成素材は、使用後に容易に廃棄、焼却等が可能であればよく、通常は再利用が考慮されないことから再生紙を使用することでもよい。
【００１８】
容器本体１自体は外函部材１０と内函部材３０とから成り、上部開口の中空状の左右側壁２、前後側壁３を有する外函部材１０に対し、同様に上部開口の、周囲に間隙、孔等が形成されていない内函部材３０を嵌め入れることで構成されており、例えば被保冷物Ｐとしての鰹等を収納するのに好適なように前後に長い直方体状に形成される。すなわち外函部材１０は、長矩形状の外部底板１１の左右に外部左右外側板１２を折り起こし状に連設し、この外部左右外側板１２上縁に連設した左右縁板１３を介して外部左右外側板１２の内方に沿って折り伏される外部左右内側板１４を連設すると共に、外部左右内側板１４の前後縁に左右で相互に係合する前後部左右係合板１５，１６を付設し、一方、外部底板１１の前後に外部前後外側板１７を折り起こし状に連設し、この外部前後外側板１７上縁に連設した前後縁板１８を介して外部前後外側板１７の内方に沿って折り伏される外部前後内側板１９を連設すると共に、外部前後外側板１７の左右縁と外部左右内側板１４の前後縁との間で、外部前後外側板１７、外部前後内側板１９相互間あるいは外部左右外側板１２、外部左右内側板１４相互間の空隙内に折り込まれる前後左右折込板２１を夫々折り込み自在に連繋して成る。そして外部左右内側板１４の下端縁に外部底板１１の左右部内底面に当接するよう折り伏し状に連設した左右当接折伏片２２の前後縁と、外部前後内側板１９の下端縁に外部底板１１の前後部内側面に当接するよう折り伏し状に連設した前後当接折伏片２３の左右縁とを、例えば外部前後内側板１９の底部近傍で突設した左右係合片２４によって相互に係合できるようにしてある。
【００１９】
また外部左右外側板１２、外部左右内側板１４相互で、また外部前後外側板１７、外部前後内側板１９相互では左右縁板１３、前後縁板１８夫々を介して内外で空隙を生じさせて対峙されることで中空状の左右側壁２、前後側壁３を形成している。これらの左右側壁２、前後側壁３の空隙内に折り込まれる前後左右折込板２１は、空隙を維持するのに役立つようにし、空隙によって容器本体１の内外を遮断する保冷空間を確保するようにしている。尚、前後左右折込板２１は図示のように外部底板１１の四隅位置で、外部左右外側板１２、外部前後外側板１７夫々に連設されたほぼ矩形状に形成されていて、外部底板１１の四隅位置からの斜めの折込線によって山形状に折り込まれるようにしてある。
【００２０】
前後部左右係合板１５，１６相互の係合は、外函部材１０の前後部夫々において、外部左右内側板１４が折り伏されて左右方向から左右の係合板１５，１６夫々が寄せ合わせられるとき、それらの上縁夫々に切欠状に形成されることでほぼＬ字状を呈する係合部１５Ａ，１６Ａ夫々が上下方向で噛み合わせられることで係合されるものとし、外函部材１０自体の組立後の形態、保形状態を補強している。また相互に係合した前後部左右係合板１５，１６は、対峙する外部前後外側板１７、外部前後内側板１９相互の空隙内に収納、すなわち外函部材１０内方に折り込まれる外部前後内側板１９によって覆われることでその係合状態を一層安定させるようにしてある。
【００２１】
内方に折り伏した外部左右内側板１４、外部前後内側板１９内部で折り伏した左右当接折伏片２２、前後当接折伏片２３夫々は、外函部材１０内部の前後左右の内隅部で相互に左右係合片２４によって噛み合い係合するようにしてあり、折り伏した外部左右内側板１４、外部前後内側板１９夫々が内方側に付勢されて外部左右外側板１２、外部前後外側板１７夫々から離反しないようにして、左右側壁２、前後側壁３夫々の空隙を保持するものとしてある。
【００２２】
更に外函部材１０の開口上部である縁部四隅では、左右縁板１３、前後縁板１８の縁部夫々が重なることがなく、突き合わせ状で接合するように前後縁あるいは左右縁夫々を斜めに切断するものとしてある。
【００２３】
尚、外部左右内側板１４、外部前後内側板１９夫々は外函部材１０の内部に折り込まれるから、これらに対峙する外部左右外側板１２、外部前後外側板１７夫々に比し、その幅員は外函部材１０における段ボール紙の肉厚にほぼ相当する分で小さくしてある。
【００２４】
このようにして形成される外函部材１０内に嵌め入れられる内函部材３０は、外函部材１０における内方に折り伏される外部左右内側板１４、外部前後内側板１９によって形成される外函部材１０による内部容積形状に対応するもので、外部底板１１の内底面に当接する長矩形状の内部底板３１の左右に、外部左右内側板１４内側面に夫々当接する内部左右側板３２を折り起こし状に連設し、この内部左右側板３２上縁に外函部材１０における左右縁板１３の上面に当接する左右水漏れ防止片３３を折り伏し状に連設し、一方、内部底板１１の前後に、外部前後内側板１９の内側面に夫々対峙する内部前後側板３４を折り起こし状に連設し、この内部前後側板３４上縁に外函部材１０における前後縁板１８の上面に当接する前後水漏れ防止片３５を折り伏し状に連設すると共に、内部左右側板３２の前後縁と内部前後側板３４の左右縁との間で、内部前後側板３４の外側で折り込まれる前後左右折込板３６を夫々折り込み自在に連繋して成る。尚、前後水漏れ防止片３５自体は、外函部材１０における前後縁板１８の上面に当接することなく、内部前後側板３４の外側で折り込んだ前後左右折込板３６を上方から覆い、外部前後側板３４の上部内側面に当接するように側面から見て逆Ｌ字形に折り伏されることもある。
【００２５】
また、前後左右折込板３６は図示のように内部底板３１の四隅位置で、内部左右側板３２、内部前後側板３４夫々に連設されたほぼ矩形状に形成されていて、内部底板３１の四隅位置からの斜めの折込線によって山形状に折り込まれるようにしてある。
【００２６】
この内函部材３０は、１枚の段ボール紙によって折り込み組み立てられるものとなっており、その内部に収納される被保冷物Ｐ及び保冷材である氷、更にその溶解水等を外部に浸出ないし漏出させないものとして、いわば角形の窄まり状となるように構成されるのであり、周囲では内函部材３０自体の内外を連通させるような間隙、孔、スリットその他の連通部分は全く形成されていないものとしてある。
【００２７】
外函部材１０における左右縁板１３、前後縁板１８上面に当接する左右水漏れ防止片３３、前後水漏れ防止片３５夫々は、後述する蓋部材４０が容器本体１に施蓋されたときの外函部材１０の上面と蓋部材４０の内側面との間に間隙が生じないように、左右水漏れ防止片３３の前後縁、前後水漏れ防止片３５の左右縁のいずれかが延設されているものとして、保冷作用を維持するように配慮してある。
【００２８】
蓋部材４０は、下部開口のほぼボックス状を呈する折り畳み可能な紙製、好ましくは耐水性ある印刷が可能な肉厚な紙材によって形成され、例えばその肉厚は０．５ｍｍ程度のものとされている。この蓋部材４０自体は、容器本体１における底壁である外函部材１０の外部底板１１にほぼ対応して、その外形に比し僅かに大きくしたく長矩形状の上側蓋板４１に、容器本体１の左右側壁２、前後側壁３すなわち外函部材１０の外部左右外側板１２、外部前後外側板１７夫々の外側面に当接する左右蓋側板４２、前後蓋側板４３夫々を垂設して形成されている。
【００２９】
すなわち蓋部材４０自体は図８、図９に示すように、中央に配した上側蓋板４１の左右縁夫々に左右蓋側板４２を連設する一方、同じく上側蓋板４１の前後縁夫々に前後蓋側板４３を連設すると共に、前後蓋側板４２の左右縁夫々に連設した接続片４４を、左右蓋側板４２の前後端部にこの左右蓋側板４２自体を上側蓋板４１の内側面に当接するように折り込ませる斜めの折込線によって区画されたほぼ三角形状の連結部４５に接着するようにして成るものとしてある。尚、接続片４４は、この接続片４４自体が折り込み時に上側蓋板４１内側面に衝接するのを回避するために左右蓋側板４２の前後縁を斜めに切除してある。
【００３０】
この蓋部材４０を容器本体１に施蓋したときに、蓋部材４０を容器本体１に係合固定するロック手段５０を形成してある。このロック手段５０は、蓋部材４０における例えば前後蓋側板４３の底部側に蓋部材４０自体の内方に折り込み状に折曲される蓋側挿入ロック片５１を、容器本体１における例えば前後側壁３すなわち外函部材１０の外部前後外側板１７に蓋側挿入ロック片５１位置に対応して内方に折り込まれる本体側折曲ロック片５２の折り込み孔縁（ロック部５３）に係合させるようにしたものである。図示にあっての蓋側挿入ロック片５１は、蓋部材４０においての上縁側で前後蓋側板４３自体に、また本体側折曲ロック片５２も同様に容器本体１においての上縁側で外部前後内側板１９自体に夫々起伏自在にして連設されており、手指等を掛けながら蓋部材４０を容器本体１に施蓋するとき、内外で位置が対応合致した状態で蓋側挿入ロック片５１を内方側に押し込むとき、蓋側挿入ロック片５１がロック部５３である本体側折曲ロック片５２の折り込み孔縁に係合するものとしてある。またこれらのロック片５１、５２自体は正面から見て横長に形成されており、蓋側挿入ロック片５１に対し、同様に正面から見て横長の本体側折曲ロック片５２を折り伏すように同時に外方からの押圧力の付与で本体側折曲ロック片５２の折り込み孔縁であるロック部５３内に強制的にでも挿入され、ロック部５３の縁部に蓋側挿入ロック片５１が係合するようにしてある。尚、ロック部５３は、場合によっては本体側折曲ロック片５２自体が切除され、蓋側挿入ロック片５１が挿入係止可能な孔状に形成されることもある。
【００３１】
もとより図示のように、蓋側挿入ロック片５１、本体側折曲ロック片５２の形状は図示に示される横長矩形状に限定されるものでなく、例えば両端が円弧状になっている長円形状更には楕円形状、蟻溝形状、台形状その他のものとする等、これらの形状に限定されるものではなく、ただ蓋側挿入ロック片５１が容器本体１の側壁に対して折り込まれ、係合するものとなっていればよいのである。尚、蓋側挿入ロック片５１、本体側折曲ロック片５２のいずれにおいても、その本体部分である外部前後外側板１７自体、前後蓋側板４３自体夫々に対していずれの部位で連繋されていてもよく、また、一方は下側とし、他方は上側とすることで両者が夫々異なる方向となっていても差し支えないものである。
【００３２】
また、容器本体１の例えば前後側壁３外側面には、収納する被保冷物Ｐの内容を表示する表示部５５が形成されており、施蓋した蓋部材４０の外方から表示部５５の内容が確認できるように、表示部５５位置に対応した覗き窓部５６を蓋部材４０に開口形成してある。図示にあっての表示部５５は容器本体１における前後側壁３に、これに対応する覗き窓部５６も同様に蓋部材４０における前後蓋側板４３位置に配置されるも、その表示位置は任意に設定できるものとしてある。
【００３３】
次に以上のように構成された容器本体１の組立、蓋部材４０の施蓋による使用例等を説明すると、容器本体１の組立は、組み立てた外函部材１０の内部に内函部材３０を嵌め入れるのである。すなわち先ず外函部材１０は、外部底板１１の左右で外部左右外側板１２を、前後で外部前後外側板１７を夫々折り起こし（図５（Ａ）参照）、更に外部左右内側板１４を左右縁板１３を介して外部左右外側板１２の内側面に対峙するように内方に折り伏す（図５（Ｂ）参照）。次いで前後で前部左右係合板１５、後部左右係合板１６相互を係合させると共に、前後左右折込板２１を前部左右係合板１５，１６外側に位置させて折り込ませ（図５（Ｃ）参照）、外部前後内側板１９を前後縁板１８を介して前後左右折込板２１及び前部左右係合板１５，１６を挟み込んで外部前後外側板１７の内側面に対峙するように内方に折り伏す（図５（Ｄ）参照）。その後、外部左右内側板１４の左右当接折伏片２２と外部前後内側板１９の前後当接折伏片２３夫々の隅部を互いに係合組合せ、外部底板１１の四隅で固定することで、外函部材１０を組み立てる。
【００３４】
一方、内函部材３０は、内部底板３１の左右で内部左右側板３２を、前後で内部前後側板３４を夫々折り起こすのであり（図７（Ａ）参照）、このとき前後で前後左右折込板３６を内部前後側板３４の外側面に折り込み、前後水漏れ防止片３５を折り伏し状にして前後左右折込板３６の上部を覆うように固定する（図７（Ｂ）参照）ことで内函部材３０を組み立て、然る後、外函部材１０内に内函部材３０を嵌め入れることで容器本体１とするのである。
【００３５】
また蓋部材４０は、上側蓋板４１の前後で前後蓋側板４３を折り伏すと共に折込線にて連結部４５を折曲しておき、左右で左右蓋側板４２を折り伏し、その接続片４４を連結部４５に接着することで組み立てておき（図９参照）、使用前にあっては折り伏し扁平状にしておいて容器本体１と共に保管しておく。
【００３６】
そして使用に際しては、保冷、輸送すべき例えば鰹等の生鮮魚介類である被保冷物Ｐを保冷材である氷と共に容器本体１内（内函部材３０内部）に収納し、蓋部材４０によって施蓋する。この施蓋作業に際し、蓋部材４０の前後を作業者の手指で支えながら容器本体１に被せるのであり、被せるに際し、蓋部材４０の蓋側挿入ロック片５１を容器本体１における外函部材１０の本体側折曲ロック片５２に位置させたときに蓋側挿入ロック片５１をロック部５３に係合するよう容器本体１内方側に押し込むように折り伏すのである（図３参照）。こうすることでロック部５３内に噛み合うようになる蓋側挿入ロック片５１によるロック手段５０で蓋部材４０を容器本体１に固定保持する。
【００３７】
こうすることで所定の被保冷物Ｐが梱包された本発明に係る保冷容器は、前後左右方向で並列され、更に適当段数で積み重ねられた状態で輸送車等に積載され、所定地に輸送される。本出願人による輸送テストでは、室温状態で輸送したところほぼ３０時間経過するも、被保冷物Ｐはそのままの冷却状態が維持され、鮮度も十分に保持されることが確認された。また保冷材である氷を入れた梱包後、４日間程度は水漏れもなく、しかも多数が積み重ねられた状態では、保冷容器相互間での冷気の循環がなされることに起因すると思われるが、従来の発泡合成樹脂材製の保冷容器に比し、その積み重ねた全体の冷気雰囲気は却って冷却温度が低くなり、効率的に保冷状態が維持されることが確認された。
【００３８】
輸送先で被保冷物Ｐを取り出した後の本発明に係る保冷容器は、蓋部材４０を取り外し、容器本体１においては内函部材３０を外函部材１０から抜き出して取り外し、夫々を解体することで扁平なコンパクトな状態のものとでき、廃棄あるいは焼却するもよく、場合によって多数で梱包し、発送先に返却することで再利用したり、再生紙とすることで利用したりするのである。
【図面の簡単な説明】
【００３９】
【図１】本発明の一実施の形態を示す分解斜視図である。
【図２】同じく閉蓋時の一部省略断面図である。
【図３】同じく蓋部材を容器本体にロックしたときの要部断面図である。
【図４】同じく容器本体における外函部材の展開図である。
【図５】同じく外函部材の組立を説明する要部の斜視図であり、その（Ａ）は外部左右外側板、外部左右内側板等を折り起こす状態、（Ｂ）は外部左右外側板に対して外部左右内側板を折り伏し重ね合わせる状態、（Ｃ）は前部左右係合板相互を係合させながら外部前後外側板、外部前後内側板を折り畳む状態、（Ｄ）は前後左右折込板を折り込みながら、外部前後内側板を折り伏し、係止させる状態である。
【図６】同じく容器本体における内函部材の展開図である。
【図７】同じく内函部材の組立を説明する要部の斜視図であり、その（Ａ）は内部前後側板、内部左右側板夫々を折り起こす状態、（Ｂ）は前後左右折込板を外側に折り込みながら前後水漏れ防止片を折り伏す状態である。
【図８】同じく蓋部材の展開図である。
【図９】同じく蓋部材の組立を説明する要部の斜視図である。
【符号の説明】
【００４０】
Ｐ…被保冷物
１…容器本体                        ２…左右側壁
３…前後側壁
１０…外函部材                      １１…外部底板
１２…外部左右外側板                １３…左右縁板
１４…外部左右内側板                １５…前部左右係合板
１５Ａ…係合部                      １６…後部左右係合板
１６Ａ…係合部                      １７…外部前後外側板
１８…前後縁板                      １９…外部前後内側板
２１…前後左右折込板                ２２…左右当接折伏片
２３…前後当接折伏片                ２４…左右係合片
３０…内函部材                      ３１…内部底板
３２…内部左右側板                  ３３…左右水漏れ防止片
３４…内部前後側板                  ３５…前後水漏れ防止片
３６…前後左右折込板
４０…蓋部材                        ４１…上側蓋板
４２…左右蓋側板                    ４３…前後蓋側板
４４…接続片                        ４５…連結部
５０…ロック手段                    ５１…蓋側挿入ロック片
５２…本体側折曲ロック片            ５３…ロック部
５５…表示部                        ５６…覗き窓部
【図１】
2005035595.tif 000003
【図２】
2005035595.tif 000004
【図３】
2005035595.tif 000005
【図４】
2005035595.tif 000006
【図５】
2005035595.tif 000007
【図６】
2005035595.tif 000008
【図７】
2005035595.tif 000009
【図８】
2005035595.tif 000010
【図９】
2005035595.tif 000011